【手続補正書】
【提出日】平成19年11月29日(2007.11.29)
【手続補正１】
【補正対象書類名】明細書
【補正対象項目名】発明の名称
【補正方法】変更
【補正の内容】
【発明の名称】通信端末装置及び着信制御方法
【手続補正２】
【補正対象書類名】明細書
【補正対象項目名】特許請求の範囲
【補正方法】変更
【補正の内容】
【特許請求の範囲】
【請求項１】
通信機能と音楽再生機能とを有する通信端末装置において、
所定の形式で保存されている音楽データを再生する音楽再生手段と、
着信を検出する着信検出手段と、
前記音楽データの再生中に前記着信が検出された際に、前記音楽再生手段に対し、前記音楽データの再生を停止させる制御手段と、
前記音楽データの再生が停止する際に、前記音楽データ全体に対する停止時の位置を記憶する停止位置記憶手段とを備えることを特徴とする通信端末装置。
【請求項２】
前記制御手段は、
前記着信又は着信に対する応答が終了した際に、
前記音楽再生手段に対し、前記停止時の位置から前記音楽データの再生を再開させることを特徴とする請求項１記載の通信端末装置。
【請求項３】
前記制御手段は、
前記着信又は着信に対する応答が終了した際に、
前記音楽再生手段に対し、前記停止時の位置より所定の単位分溯った位置から前記音楽データの再生を再開させることを特徴とする請求項１記載の通信端末装置。
【請求項４】
前記制御手段は、
前記着信又は着信に対する応答が終了した際に、前記音楽再生手段に対し、前記音楽データの初期位置から前記音楽データの再生を再開させることを特徴とする請求項１記載の通信端末装置。
【請求項５】
前記着信検出手段によって前記音楽データの再生中に前記着信が検出された際に、着信があったことを報知する着信報知手段とをさらに備え、
前記着信報知手段は、電話のベル音による音声出力、電子アラーム音による音声出力、音楽による音声出力、振動、又は、表示部への所定の表示のいずれかによって報知することを特徴とする請求項１記載の通信端末装置。
【請求項６】
通信機能と音楽再生機能とを有する通信端末装置において、
所定の形式で保存されている音楽データを再生する音楽再生手段と、
着信を検出する着信検出手段と、
前記音楽データの再生中に前記着信が検出された際に、前記音楽データ全体に対する着信時の位置を記憶する着信位置記憶手段と、
前記着信に対する応答を検出する応答検出手段と、
前記応答が検出された際に、前記音楽再生手段に対し、前記音楽データの再生を停止させる制御手段とを備えることを特徴とする通信端末装置。
【請求項７】
前記制御手段は、
前記着信又は着信に対する応答が終了した際に、
前記音楽再生手段に対し、前記着信時の位置から前記音楽データの再生を再開させることを特徴とする請求項６記載の通信端末装置。
【請求項８】
前記制御手段は、
前記着信又は着信に対する応答が終了した際に、
前記音楽再生手段に対し、前記着信時の位置より所定の単位分溯った位置から前記音楽データの再生を再開させることを特徴とする請求項６記載の通信端末装置。
【請求項９】
前記制御手段は、
前記着信又は着信に対する応答が終了した際に、
前記音楽再生手段に対し、前記音楽データの初期位置から前記音楽データの再生を再開させることを特徴とする請求項６記載の通信端末装置。
【請求項１０】
前記着信検出手段によって前記音楽データの再生中に前記着信が検出された際に、着信があったことを報知する着信報知手段とをさらに備え、
前記着信報知手段は、電話のベル音による音声出力、電子アラーム音による音声出力、音楽による音声出力、振動、又は、表示部への所定の表示のいずれかによって報知することを特徴とする請求項６記載の通信端末装置。
【請求項１１】
所定の形式で保存されている音楽データを再生する音楽再生ステップと、
着信を検出する着信検出ステップと、
前記音楽データの再生中に前記着信が検出された際に、前記音楽データの再生を停止させる再生停止ステップと、
前記音楽データの再生が停止した際に、前記音楽データ全体に対する停止時の位置を記憶する停止位置記憶ステップとを有することを特徴とする着信制御方法。
【請求項１２】
所定の形式で保存されている音楽データを再生する音楽再生ステップと、
着信を検出する着信検出ステップと、
前記音楽データの再生中に前記着信が検出された際に、前記音楽データ全体に対する着信時の位置を記憶する着信位置記憶ステップと、
前記着信に対する応答を検出する応答検出ステップと、
前記応答が検出された際に、前記音楽データの再生を停止させる再生停止ステップとを有することを特徴とする着信制御方法。
【手続補正３】
【補正対象書類名】明細書
【補正対象項目名】０００１
【補正方法】変更
【補正の内容】
【０００１】
【発明の属する技術分野】
本発明は、通信機能と音楽再生機能とを有する通信端末装置及び着信制御方法に関する。
【手続補正４】
【補正対象書類名】明細書
【補正対象項目名】０００６
【補正方法】変更
【補正の内容】
【０００６】
本発明は、このような事情に鑑みてなされたものであり、音楽再生中に着信があった場合、音楽再生機能と通信機能との切り替えを自動で行うことができる通信端末装置及び着信制御方法を提供することを目的とする。
【手続補正５】
【補正対象書類名】明細書
【補正対象項目名】０００７
【補正方法】変更
【補正の内容】
【０００７】
【課題を解決するための手段】
請求項１記載の通信端末装置の発明は、通信機能と音楽再生機能とを有する通信端末装置において、所定の形式で保存されている音楽データを再生する音楽再生手段と、着信を検出する着信検出手段と、音楽データの再生中に着信が検出された際に、音楽再生手段に対し、音楽データの再生を停止させる制御手段と、音楽データの再生が停止する際に、音楽データ全体に対する停止時の位置を記憶する停止位置記憶手段とを備える構成を採る。
【手続補正６】
【補正対象書類名】明細書
【補正対象項目名】０００９
【補正方法】変更
【補正の内容】
【０００９】
請求項２記載の発明は、請求項１記載の通信端末装置において、制御手段は、着信又は着信に対する応答が終了した際に、音楽再生手段に対し、停止時の位置から音楽データの再生を再開させる構成を採る。
【手続補正７】
【補正対象書類名】明細書
【補正対象項目名】００１１
【補正方法】変更
【補正の内容】
【００１１】
請求項３記載の発明は、請求項１記載の通信端末装置において、制御手段は、着信又は着信に対する応答が終了した際に、音楽再生手段に対し、停止時の位置より所定の単位分溯った位置から音楽データの再生を再開させる構成を採る。
【手続補正８】
【補正対象書類名】明細書
【補正対象項目名】００１３
【補正方法】変更
【補正の内容】
【００１３】
請求項４記載の発明は、請求項１記載の通信端末装置において、制御手段は、着信又は着信に対する応答が終了した際に、音楽再生手段に対し、音楽データの初期位置から音楽データの再生を再開させる構成を採る。
このように、着信が終了し、又はユーザによる着信に対する応答が終了したときは、音楽データの初期位置から音楽データの再生が再開される。これにより、ユーザは、曲の初めから音楽を聴き直すことができる。
請求項５記載の発明は、請求項１記載の通信端末装置において、着信検出手段によって音楽データの再生中に着信が検出された際に、着信があったことを報知する着信報知手段とをさらに備え、着信報知手段は、電話のベル音による音声出力、電子アラーム音による音声出力、音楽による音声出力、振動、又は、表示部への所定の表示のいずれかによって報知する構成を採る。
請求項６記載の通信端末装置の発明は、通信機能と音楽再生機能とを有する通信端末装置において、所定の形式で保存されている音楽データを再生する音楽再生手段と、着信を検出する着信検出手段と、音楽データの再生中に着信が検出された際に、音楽データ全体に対する着信時の位置を記憶する着信位置記憶手段と、着信に対する応答を検出する応答検出手段と、応答が検出された際に、音楽再生手段に対し、音楽データの再生を停止させる制御手段とを備える構成を採る。
【手続補正９】
【補正対象書類名】明細書
【補正対象項目名】００１５
【補正方法】変更
【補正の内容】
【００１５】
請求項７記載の発明は、請求項６記載の通信端末装置において、制御手段は、着信又は着信に対する応答が終了した際に、音楽再生手段に対し、着信時の位置から音楽データの再生を再開させる構成を採る。
【手続補正１０】
【補正対象書類名】明細書
【補正対象項目名】００１７
【補正方法】変更
【補正の内容】
【００１７】
請求項８記載の発明は、請求項６記載の通信端末装置において、制御手段は、着信又は着信に対する応答が終了した際に、音楽再生手段に対し、着信時の位置より所定の単位分溯った位置から音楽データの再生を再開させる構成を採る。
【手続補正１１】
【補正対象書類名】明細書
【補正対象項目名】００１９
【補正方法】変更
【補正の内容】
【００１９】
請求項９記載の発明は、請求項６記載の通信端末装置において、制御手段は、着信又は着信に対する応答が終了した際に、音楽再生手段に対し、音楽データの初期位置から音楽データの再生を再開させる構成を採る。
【手続補正１２】
【補正対象書類名】明細書
【補正対象項目名】００２０
【補正方法】変更
【補正の内容】
【００２０】
このように、着信が終了し、又はユーザによる着信に対する応答が終了したときは、音楽データの初期位置から音楽データの再生が再開される。これにより、ユーザは、曲の初めから音楽を聴き直すことができる。
請求項１０記載の発明は、請求項６記載の通信端末装置において、着信検出手段によって音楽データの再生中に着信が検出された際に、着信があったことを報知する着信報知手段とをさらに備え、着信報知手段は、電話のベル音による音声出力、電子アラーム音による音声出力、音楽による音声出力、振動、又は、表示部への所定の表示のいずれかによって報知する構成を採る。
請求項１１記載の着信制御方法の発明は、所定の形式で保存されている音楽データを再生する音楽再生ステップと、着信を検出する着信検出ステップと、音楽データの再生中に着信が検出された際に、音楽データの再生を停止させる再生停止ステップと、音楽データの再生が停止した際に、音楽データ全体に対する停止時の位置を記憶する停止位置記憶ステップとを有する構成を採る。
請求項１２記載の着信制御方法の発明は、所定の形式で保存されている音楽データを再生する音楽再生ステップと、着信を検出する着信検出ステップと、音楽データの再生中に着信が検出された際に、音楽データ全体に対する着信時の位置を記憶する着信位置記憶ステップと、着信に対する応答を検出する応答検出ステップと、応答が検出された際に、音楽データの再生を停止させる再生停止ステップとを有する構成を採る。
【手続補正１３】
【補正対象書類名】明細書
【補正対象項目名】００２１
【補正方法】変更
【補正の内容】
【００２１】
【発明の実施の形態】
以下、本発明の実施の形態に係る通信端末装置及び着信制御方法について、図面を参照しながら説明する。通信端末装置としては、携帯電話機、ＰＨＳ（Ｐｅｒｓｏｎａｌ Ｈａｎｄｙ Ｐｈｏｎｅ）、ＰＤＡ（Ｐｅｒｓｏｎａｌ Ｄｉｇｉｔａｌ Ａｓｓｉｓｔａｎｔｓ）等の端末装置が考えられるが、ここでは、携帯電話機を例にとって説明する。
【手続補正１４】
【補正対象書類名】明細書
【補正対象項目名】００５９
【補正方法】変更
【補正の内容】
【００５９】
【発明の効果】
以上説明したように、本発明に係る通信端末装置及び着信制御方法によれば、音楽データの再生中に着信が検出されたときは、音楽データの再生が停止するので、音楽再生機能から通信機能への切り替えを自動的に行うことが可能となる。このため、ユーザは、音楽再生中に着信があった場合は煩わしい操作をする必要がなくなる。また、音楽データの再生が停止した位置が記憶されるので、再生を再開する際の停止位置の把握が容易となる。
【手続補正１５】
【補正対象書類名】明細書
【補正対象項目名】００６０
【補正方法】削除
【補正の内容】
【手続補正１６】
【補正対象書類名】図面
【補正対象項目名】図３
【補正方法】変更
【補正の内容】
【図３】
2002185630.tif 000001